(57)【要約】  【課題】  従来の音波発生手段を有する電気集塵装置では、音波発生手段に一定量の電圧を印加し、さらに一定の音波周波数により塵埃を捕集しており、部屋の空気中の塵埃が少なくても常に一定の消費電力が必要となる。  【解決手段】  荷電部と集塵部と荷電部のうち放電部位に対して音波を照射する音波発生手段を有する電気集塵装置と、音波発生手段を制御する音波制御手段と空気中の塵埃量を検出する塵埃量検出手段を有し、音波制御装置は塵埃度合いに応じて音波発生手段への通電、音波の音圧量、周波数を制御する。【選択図】  図１ 
2005083617.tif 000002
【特許請求の範囲】
【請求項１】
荷電部と、集塵部と、前記荷電部のうち放電部位に対して音波を照射する音波発生手段を有する電気集塵装置と、前記音波発生手段を制御する音波制御手段と空気中の塵埃量を検出する塵埃量検出手段を有することを特徴とする空気調和機。
【請求項２】
塵埃量検出手段は塵埃量の度合いを少なくとも２つの塵埃度合いに分けて検出することを特徴とする、請求項１記載の空気調和装置。
【請求項３】
音波制御装置は塵埃量検出手段の塵埃度合いに応じて、塵埃度合いが所定値より高ければ前記音波発生手段に通電し、塵埃度合いが所定値より低ければ音波発生手段への通電を停止することを特徴とする、請求項1〜２のいずれかに記載の空気調和機。
【請求項４】
音波制御装置は塵埃量検出手段の塵埃度合いに応じて、塵埃度合いが所定値より高ければ音波の音圧量を増加し、塵埃度合いが所定値より低ければ音圧量を減少することを特徴とする、請求項１〜３のいずれかに記載の空気調和機。
【請求項５】
音波制御装置は塵埃量検出手段の塵埃度合いに応じて、塵埃度合いが所定値より高ければ音波の周波数を増加し、塵埃度合いが所定値より低ければ音波の周波数を減少することを特徴とする、請求項１〜４のいずれかに記載の空気調和機。
【発明の詳細な説明】
【技術分野】
【０００１】
本発明は、空気中の塵埃などを捕集する音波を用いた電気集塵装置の制御装置を有する空気調和機に関するものである。
【背景技術】
【０００２】
従来、空気調和機の電気集塵装置は主として所謂コロナ放電を発生して通過する塵埃粒子を帯電させる機能を持つ荷電部と、帯電または凝集した塵埃粒子を捕獲する集塵部とからなり、ユニットとして構成されて空気調和機の室内機の空気吸込み口に設置され、空気調和機が動作している場合には音波発生手段に常時一定量の電圧を印加し、塵埃を捕集していた（例えば、特許文献１参照）。
【特許文献１】特開平１１−１５１４５２号公報
【発明の開示】
【発明が解決しようとする課題】
【０００３】
しかしながら、塵埃を捕集する場合は常時一定量の電圧を印加し、部屋の空気中の塵埃が少なくても常に一定の消費電力が必要となるという課題を有していた。
【０００４】
本発明はこのような従来の課題を解決するものであり、塵埃が少ないときには音波発生手段の消費電力を低減することを目的とする。
【課題を解決するための手段】
【０００５】
上記課題を解決するため本発明は、荷電部と集塵部と荷電部のうち放電部位に対して音波を照射する音波発生手段を有する電気集塵装置と、前記音波発生手段を制御する音波制御手段と空気中の塵埃量を検出する塵埃量検出手段を有する。
【０００６】
また本発明は、塵埃量検出手段は塵埃量の度合いを少なくとも２つの塵埃度合いに分けて検出することを特徴とする。
【０００７】
また本発明は、音波制御装置は前記塵埃量検出手段の塵埃度合いに応じて、塵埃度合いが所定値より高ければ前記音波発生手段に通電し、塵埃度合いが所定値より低ければ音波発生手段への通電を停止することを特徴とする。
【０００８】
また本発明は、音波制御装置は前記塵埃量検出手段の塵埃度合いに応じて、塵埃度合いが所定値より高ければ音波の音圧量を増加し,塵埃度合いが所定値より低ければ音圧量を減少することを特徴とする。
【０００９】
さらに本発明は、音波制御装置は前記塵埃量検出手段の塵埃度合いに応じて、塵埃度合いが所定値より高ければ音波の周波数を増加し,塵埃度合いが所定値より低ければ音波の周波数を減少することを特徴とする。
【００１０】
上記構成により、塵埃量を検出し,塵埃量が少ない場合は,音波発生量を減少させることで音波発生手段の消費電力を低減することが可能となる。
【発明の効果】
【００１１】
本発明の空気調和機は、使用消費電力を低減するという効果を奏する。
【発明を実施するための最良の形態】
【００１２】
第１の発明は、荷電部と、集塵部と、前記荷電部のうち放電部位に対して音波を照射する音波発生手段を有する電気集塵装置と、前記音波発生手段を制御する音波制御手段と空気中の塵埃量を検出する塵埃量検出手段を有し、塵埃量検出手段は塵埃量の度合いを少なくとも２つの塵埃度合いに分けて検出し、塵埃度合いが所定値より高ければ前記音波発生手段に通電し、塵埃度合いが所定値より低ければ音波発生手段への通電を停止することにより、使用消費電力を低減するという効果を奏する。
【００１３】
以下、本発明の実施の形態について図面を参照しながら説明する。なお、この実施の形態によって本発明が限定されるものではない。
【００１４】
（実施の形態１）
本発明の実施の形態１における空気調和機のシステム構成図ならびに電気集塵機構成図を図１および図２に示す。空気調和機は概略、空調すべき空間に配置されている室内機１と屋外に配置された図示されていない室外機と、熱媒体の循環路とを有している。室内機１は電気集塵装置２と塵埃検出手段３と音波制御手段４と熱交換器5と風量調整可能な室内ファン６とを有する。電気集塵装置２は荷電部２−１と集塵部２−２と荷電部２−１のうち放電部位に対して音波を照射する音波発生手段７を有する。そしてこの構成によれば、荷電部２−１において発生するコロナ放電の発生領域をより広範に拡大させることができると共に、粒子間相互の衝突確率を高めることもでき粒子相互の凝集を助長し、もって電気集塵装置２の塵埃捕集効率を向上させることが可能となる。
【００１５】
次に音波発生手段７の消費電力削減方法を説明する。塵埃検出手段３において空調すべき空間の塵埃量を検出し、あらかじめ設定されている塵埃量レベルＷに分ける。音波制御手段４において塵埃レベルＷに応じてあらかじめ設定された音波の音圧Ｎもしくは音波の周波数Ｆを出力するよう音波発生手段7に印加する電圧を制御する。従って、塵埃レベルＷが高いすなわち塵埃量が多いときには音波発生手段7に印加する電圧を高くすることで塵埃の集塵量を高くする。また、塵埃量が少ない場合は、音波発生手段7に印加する電圧を少なくすることで塵埃の集塵量を低くする。特に塵埃量が非常に少ない場合は、音波発生手段7への電圧の印加を停止する。以上のように塵埃量に応じて音波発生手段への電圧の印加量を変化させることで、必要最低限の消費電力に削減することが可能である。
【産業上の利用可能性】
【００１６】
以上のように、本発明にかかる空気調和機は消費電力を低減する集塵装置を搭載しているので、空気清浄機にも応用できる。
【図面の簡単な説明】
【００１７】
【図１】本発明の実施の形態１のシステム構成図
【図２】本発明の実施の形態１の電気集塵機構成図
【図３】従来の電気集塵装置の代表的な電極構成図
【符号の説明】
【００１８】
１  室内機
２  電気集塵装置
２−１  荷電部
２−２  集塵部
３  塵埃検出手段
４  音波制御手段
５  熱交換器
６  室内ファン
７  音波発生手段
【図１】
2005083617.tif 000003
【図２】
2005083617.tif 000004
【図３】
2005083617.tif 000005